(57)【特許請求の範囲】
【請求項１】
複数の整列条件のうち第１ユーザ命令信号に対応する整列条件を決定する整列条件決定部と、
前記整列条件を細分化した細部条件のうち第２ユーザ命令信号に対応する細部条件を決定する細部条件決定部と、
前記決定された細部条件によって第１マルチメディアコンテンツを抽出するコンテンツ抽出部であって、特定の数字ボタンまたは方向ボタンを選択して細部条件を切り替えることにより選択されたサムネイルがフォーカスされ、該フォーカスされたサムネイルに対応する第１マルチメディアコンテンツが表示される、コンテンツ抽出部と、
画面の第１領域に前記決定された整列条件、第２領域に前記決定された細部条件、第３領域に前記抽出された第１マルチメディアコンテンツに含まれる第２マルチメディアコンテンツを表示するディスプレイ部と、を含み、
前記複数の整列条件は、前記第１マルチメディアコンテンツが生成された時点の順序、前記第１マルチメディアコンテンツに含まれた主要色の順序、前記第１マルチメディアコンテンツに含まれた内容の順序、前記第１マルチメディアコンテンツに対するユーザの選好度の順序、および、前記第１マルチメディアコンテンツが生成された生成期間の順序のうち少なくとも１つを含むマルチメディアコンテンツを表示する装置。
【請求項２】
前記第１ユーザ命令信号は、方向ボタン信号を含む請求項１に記載のマルチメディアコンテンツを表示する装置。
【請求項３】
前記整列条件決定部は、前記方向ボタン信号のうち上下のボタン信号に応じて前記整列条件を決定する請求項２に記載のマルチメディアコンテンツを表示する装置。
【請求項４】
前記第２ユーザ命令信号は、方向ボタン信号および数字ボタン信号のうち少なくとも１つを含む請求項１に記載のマルチメディアコンテンツを表示する装置。
【請求項５】
前記細部条件決定部は、前記方向ボタン信号のうち左右のボタン信号または前記数字ボタン信号に応じて前記細部条件を決定する請求項４に記載のマルチメディアコンテンツを表示する装置。
【請求項６】
前記コンテンツ抽出部は、前記ユーザによって予め選択されたマルチメディアコンテンツを中心として前記第１マルチメディアコンテンツを抽出する請求項１に記載のマルチメディアコンテンツを表示する装置。
【請求項７】
前記ディスプレイ部は、前記第１領域に前記決定された整列条件および前記決定された整列条件に隣接した整列条件を表示する請求項１に記載のマルチメディアコンテンツを表示する装置。
【請求項８】
前記ディスプレイ部は、前記第２領域において前記第２マルチメディアコンテンツの細部条件に対応する部分にポインタを表示する請求項１に記載のマルチメディアコンテンツを表示する装置。
【請求項９】
前記ディスプレイ部は、前記第３領域に前記第２マルチメディアコンテンツに隣接して整列されたマルチメディアコンテンツの一部を表示する請求項１に記載のマルチメディアコンテンツを表示する装置。
【請求項１０】
前記ディスプレイ部は、方向ボタン信号のうち１つが所定臨界時間を超過して選択された場合、画面の所定領域に前記抽出された第１マルチメディアコンテンツに対するサムネイルを高速で１コマずつ移動させ、前記画面のまた他の領域に前記移動により選択されたマルチメディアコンテンツを表示する請求項１に記載のマルチメディアコンテンツを表示する装置。
【請求項１１】
前記ディスプレイ部は、前記抽出された少なくとも１つ以上の第１マルチメディアコンテンツの一部または全体に対するサムネイルを表示する請求項１に記載のマルチメディアコンテンツを表示する装置。
【請求項１２】
前記サムネイルを生成するサムネイル生成部をさらに含む請求項１１に記載のマルチメディアコンテンツを表示する装置。
【請求項１３】
前記第１マルチメディアコンテンツは、静止画および動画を含む請求項１に記載のマルチメディアコンテンツを表示する装置。
【請求項１４】
（ａ）複数の整列条件のうち第１ユーザ命令信号に対応する整列条件を決定するステップと、
（ｂ）前記整列条件を細分化した細部条件のうち第２ユーザ命令信号に対応する細部条件を決定するステップと、
（ｃ）前記決定された細部条件によって第１マルチメディアコンテンツを抽出するステップであって、特定の数字ボタンまたは方向ボタンを選択して細部条件を切り替えることにより選択されたサムネイルがフォーカスされ、該フォーカスされたサムネイルに対応する第１マルチメディアコンテンツが表示される、ステップと、
（ｄ）画面の第１領域に前記決定された整列条件、第２領域に前記決定された細部条件、第３領域に前記抽出された第１マルチメディアコンテンツに含まれる第２マルチメディアコンテンツを表示するステップと、を含み、
前記複数の整列条件は、前記第１マルチメディアコンテンツが生成された時点の順序、前記第１マルチメディアコンテンツに含まれた主要色の順序、前記第１マルチメディアコンテンツに含まれた内容の順序、前記第１マルチメディアコンテンツに対するユーザの選好度の順序、および、前記第１マルチメディアコンテンツが生成された生成期間の順序のうち少なくとも１つを含むマルチメディアコンテンツを表示する方法。
【請求項１５】
前記第１ユーザ命令信号は、方向ボタン信号を含む請求項１４に記載のマルチメディアコンテンツを表示する方法。
【請求項１６】
前記（ａ）ステップは、前記方向ボタン信号のうち上下のボタン信号に応じて前記整列条件を決定するステップを含む請求項１５に記載のマルチメディアコンテンツを表示する方法。
【請求項１７】
前記第２ユーザ命令信号は、方向ボタン信号および数字ボタン信号のうち少なくとも１つを含む請求項１４に記載のマルチメディアコンテンツを表示する方法。
【請求項１８】
前記（ｂ）ステップは、前記方向ボタン信号のうち左右のボタン信号または前記数字ボタン信号に応じて前記細部条件を決定するステップを含む請求項１７に記載のマルチメディアコンテンツを表示する方法。
【請求項１９】
前記（ｃ）ステップは、前記ユーザによって予め選択されたマルチメディアコンテンツを中心として前記第１マルチメディアコンテンツを抽出するステップを含む請求項１４に記載のマルチメディアコンテンツを表示する方法。
【請求項２０】
前記（ｄ）ステップは、前記第１領域に前記決定された整列条件および前記決定された整列条件に隣接した整列条件を表示するステップを含む請求項１４に記載のマルチメディアコンテンツを表示する方法。
【請求項２１】
前記（ｄ）ステップは、前記第２領域において前記第２マルチメディアコンテンツの細部条件に対応する部分にポインタを表示するステップを含む請求項１４に記載のマルチメディアコンテンツを表示する方法。
【請求項２２】
前記（ｄ）ステップは、前記第３領域に前記第２マルチメディアコンテンツに隣接して整列されたマルチメディアコンテンツの一部を表示するステップを含む請求項１４に記載のマルチメディアコンテンツを表示する方法。
【請求項２３】
前記（ｄ）ステップは、方向ボタン信号のうち１つが所定臨界時間を超過して選択された場合、画面の所定領域に前記抽出された第１マルチメディアコンテンツに対するサムネイルを高速で１コマずつ移動させ、前記画面のまた他の領域に前記移動により選択されたマルチメディアコンテンツを表示するステップを含む請求項１４に記載のマルチメディアコンテンツを表示する方法。
【請求項２４】
前記（ｄ）ステップは、前記抽出された少なくとも１つ以上の第１マルチメディアコンテンツの一部または全体に対するサムネイルを表示するステップを含む請求項１４に記載のマルチメディアコンテンツを表示する方法。
【請求項２５】
前記サムネイルを生成するステップをさらに含む請求項２４に記載のマルチメディアコンテンツを表示する方法。
【請求項２６】
前記第１マルチメディアコンテンツは、静止画および動画を含む請求項１４に記載のマルチメディアコンテンツを表示する方法。
【発明の詳細な説明】
【技術分野】
【０００１】
本発明は、マルチメディアコンテンツを表示する装置および方法に関し、さらに詳しくは、リモコンまたは携帯用端末機の限定されたボタンを用いて格納されたマルチメディアコンテンツをユーザの好みに合うように表示するマルチメディアコンテンツを表示する装置および方法に関するものである。
【背景技術】
【０００２】
過去、特定の部類にのみ限定されたインターネットがウェブの実現を通じて広がるようになり、デジタル産業の全般に多くの影響を及ぼした。インターネットを基盤とするサービスとインターネットを介して流通するコンテンツは２１世紀のデジタル産業の尺度になっている。そこへ、インターネット網の超高速化、携帯電話、ＰＤＡ、ノートパソコンなどを介してコンテンツのマルチメディア化がなされ、今やマルチメディアは、選択肢ではなく必須事項として位置付けられるようになった。
【０００３】
これに伴い、アナログＴＶからデジタルＴＶへの進化が進められる中にあって、ＴＶを介して従来の公衆波だけでなく、多様な情報に接することができるようになった。
【０００４】
図１は、デジタル情報家電の進化を示している。１９８０年代は、コンピュータネットワーク時代であって、ＰＣとノートパソコン、メインフレームコンピュータとワークステーションなどがネットワークをなして情報を交換した。これは、研究所、または事務室など、その使用領域が限定された。
【０００５】
しかし、１９９０年代に入ってきて、インターネットが成長するようになった。これに伴い、ホームステーションに対する関心が少しずつ台頭し、さらに研究所と事務室とで限定されていたインターネットが個人および家庭にも入ってくるようになった。
【０００６】
２０００年代に入り、無線ネットワークの発展が著しく、さらに有線ネットワークの伝送速度は急激に成長するようになった。その結果、前述した通り大容量のマルチメディアコンテンツの流通が本格化され、デジタル放送に対する研究が活発に進められている。また、一部のサービスは商用化に至っている。一方、多くの家電機器もユビキタスの概念下の情報家電に変化している。今やデジタル情報は、コンピュータやワークステーションを通しただけでなく、デジタルＴＶ、携帯電話、画像電話機、スマートフォンを介してもやり取りすることができ、冷蔵庫と電子レンジ、エアコンのような家電機器の間にもホームネットワークとユビキタスの概念下にデジタル情報の送受信が可能になった。
【０００７】
ここで、ユーザは多様なデジタル情報の検索のために、リモコン、ホームパッド（ｈｏｍｅ−ｐａｄ）、または、ウォールパッド（ｗａｌｌ−ｐａｄ）などを用いるが、前記装置の特性上、情報の検索が容易ではないのが実状である。
【０００８】
すなわち、検索しようとするデジタル情報の格納単位がファイルである場合、ユーザは少数のファイル（例えば、１０個〜２０個）を検索するためにリモコンなどに取付けられた矢印ボタンを用いることができる。しかし、ファイルの数が増加するにつれて（例えば、１００個〜１０００個）、矢印ボタンだけでユーザ自身が所望する情報を検索することは容易ではなくなる。
【０００９】
換言すれば、矢印ボタンで情報を検索することは、大量のデジタル情報を検索することに適さず、各デジタル情報が格納されている特定アドレスを示すことによって容易に検索を行うことができる手段の登場が要求されている。
【００１０】
図２は、従来のディスプレイ装置を用いて検索された情報を表示することを示す概念図であって、ディスプレイ装置２２はユーザによって選択された情報を表示する。この時、ユーザは格納された情報２１を検索するために、リモコン２３などに備えられた矢印ボタンを用いるが、一般的に情報２１は所定の条件によって１次元的な構造として格納されている。換言すれば、情報２１はファイルの名前、ファイルのサイズ、ファイルの種類、生成日、または、修正日などの条件による順序で格納されるが、特定条件によって１次元的な順序で格納されているものである。したがって、ユーザは格納された情報２１を検索するにあたり、一回の矢印ボタンのクリックによって現在検索された情報の前または後にある情報のみを検索することができるが、このような連続的な検索によって、現在検索された情報から遠く離れたところに配置された情報を検索するためには、矢印ボタンの多数のクリックを必要とする。
【００１１】
特許文献１は、ＤＴＶに入力された電子アルバム用イメージを復号して上部をサムネイル形態で表示し、それとともに主画面には選択されたサムネイルのメインデータを表示して、最下部にはサムネイルイメージを選択するスクロールバーを備えた電子アルバムのイメージ検索方法および装置を開示している。
【００１２】
しかし、開示された発明は、単にメインデータとメインデータに対するサムネイルとを表示したものであって、その整列条件が明示されていないため、ユーザは膨大な量のマルチメディアコンテンツを検索することに困難を感じる可能性がある。したがって、ユーザの好みに合った整列条件によってマルチメディアコンテンツを表示し、限定された入力手段を用いて格納されたマルチメディアコンテンツを検索することができる方法の開発が求められている。
【特許文献１】韓国公開特許第２００５−０７０３５０号公報
【発明の開示】
【発明が解決しようとする課題】
【００１３】
本発明は、リモコンまたは携帯用端末機の限定されたボタンを用いて格納されたマルチメディアコンテンツをユーザの好みに合うように表示することにその目的がある。
【００１４】
本発明の目的は、以上で言及した目的に制限されず、言及されないまた他の目的は下記から当業者が明確に理解できる。
【課題を解決するための手段】
【００１５】
前記目的を達成するために、本発明の一態様に係るマルチメディアコンテンツを表示する装置は、複数の整列条件のうち第１ユーザ命令信号に対応する整列条件を決定する整列条件決定部と、前記整列条件を細分化した細部条件のうち第２ユーザ命令信号に対応する細部条件を決定する細部条件決定部と、前記決定された細部条件によって第１マルチメディアコンテンツを抽出するコンテンツ抽出部および画面の第１領域に前記決定された整列条件、第２領域に前記決定された細部条件、第３領域に前記抽出された第１マルチメディアコンテンツに含まれる第２マルチメディアコンテンツを表示するディスプレイ部と、を含み、前記複数の整列条件は、前記第１マルチメディアコンテンツが生成された時点の順序、前記第１マルチメディアコンテンツに含まれた主要色の順序、前記第１マルチメディアコンテンツに含まれた内容の順序、前記第１マルチメディアコンテンツに対するユーザの選好度の順序、および、前記第１マルチメディアコンテンツが生成された生成期間の順序のうち少なくとも１つを含む。
【００１６】
本発明に係るマルチメディアコンテンツを表示する方法は、（ａ）複数の整列条件のうち第１ユーザ命令信号に対応する整列条件を決定するステップと、（ｂ）前記整列条件を細分化した細部条件のうち第２ユーザ命令信号に対応する細部条件を決定するステップと、（ｃ）前記決定された細部条件によって第１マルチメディアコンテンツを抽出するステップ、および、（ｄ）画面の第１領域に前記決定された整列条件、第２領域に前記決定された細部条件、第３領域に前記抽出された第１マルチメディアコンテンツに含まれる第２マルチメディアコンテンツを表示するステップと、を含み、前記複数の整列条件は、前記第１マルチメディアコンテンツが生成された時点の順序、前記第１マルチメディアコンテンツに含まれた主要色の順序、前記第１マルチメディアコンテンツに含まれた内容の順序、前記第１マルチメディアコンテンツに対するユーザの選好度の順序、および、前記第１マルチメディアコンテンツが生成された生成期間の順序のうち少なくとも１つを含む。
【発明の効果】
【００１７】
本発明のマルチメディアコンテンツを表示する装置および方法は、リモコンまたは携帯用端末機の限定されたボタンを用いて格納されたマルチメディアコンテンツをユーザの好みに合うように表示することによって、ユーザが簡便かつ速く自身が所望するマルチメディアコンテンツを検索することができる長所がある。
【発明を実施するための最良の形態】
【００１８】
その他の実施形態の具体的な事項は、詳細な説明および図面に含まれている。
【００１９】
本発明の利点および特徴、そしてそれらを達成する方法は、添付する図面と共に詳細に後述されている実施形態を参照すれば明確になる。しかし、本発明は以下で開示される実施形態に限定されず、互いに異なる多様な形態からなることができ、単に本実施形態は本発明の開示を完全なものとし、本発明が属する技術分野で通常の知識を有する者に発明の範疇を完全に知らせるために提供されているものであり、本発明は請求項の範疇によってのみ定義されるものである。明細書全体に亘って、同一参照符号は同一構成要素を示している。
【００２０】
以下、添付する図面を参照して、本発明の好ましい実施形態について詳しく説明する。
【００２１】
図３は、本発明の実施形態によってマルチメディアコンテンツが表示されることを示す概念図であって、表示される画面は、整列条件領域３１０と、サムネイル領域３２０と、マルチメディアコンテンツ領域３３０と、細部条件領域３４０とから構成される。
【００２２】
整列条件領域３１０は、現在の整列条件３１１と現在の整列条件に隣接した整列条件３１２，３１３が表示される領域として、隣接した整列条件は以前の整列条件３１２と以後の整列条件３１３とを含む。
【００２３】
ユーザは、備えられたボタンなどを用いて整列条件を切り替えることができるが、例えば、上下ボタンのうち上ボタンを選択することによって以前の整列条件３１２を現在の整列条件に切り替え、下ボタンを選択することによって以後の整列条件３１３を現在の整列条件に切り替えることができる。
【００２４】
ここで、各整列条件はテキストまたはイメージの形態によって表示されるが、ユーザによる視覚的な認識率を向上させるために、現在の整列条件に該当するテキストまたはイメージ３１１は、隣接した整列条件に該当するテキストまたはイメージ３１２，３１３より大きく、あるいは鮮明に表示することができる。
【００２５】
また、整列条件を切り替えるために、ユーザの選択できる方向に対するイメージ３１５ａ、３１５ｂが表示されるが、これは隣接した整列条件の有無により活性するか否かを決定することができる。例えば、上ボタンおよび下ボタンが各々以前の整列条件および以後の整列条件に対応する場合、以前の整列条件および以後の整列条件が全て存在すれば上下方向に対するイメージ３１５ａ、３１５ｂは全て活性化し、以後の整列条件が存在しなければ下方向に対するイメージ３１５ｂは非活性化する。
【００２６】
サムネイル領域３２０は、マルチメディアコンテンツのサムネイル３２１が表示される領域であって、サムネイル３２１はユーザによって選択された整列条件３１１および細部条件３４１による順に表示され、格納されたマルチメディアコンテンツの一部または全体に対するサムネイル３２１を表示することができる。
【００２７】
ユーザは、備えられたボタンなどを用いて表示されたサムネイル３２１のフォーカスを切り替えることができるが、例えば、左右のボタンのうち左ボタンを選択することによって左側のサムネイルがフォーカスされるようにすることができ、右ボタンを選択することによって右側のサムネイルがフォーカスされるようにすることができる。ここで、選択されたサムネイルは、他のサムネイルより大きく、あるいは鮮明に表示することができ、選択されたサムネイルの枠が太く形成されることもできる。
【００２８】
一方、本発明の実施形態に係るマルチメディアコンテンツ３３１は、静止画または動画であることもできるが、サムネイル領域３２０で表示されるサムネイル３２１は静止画であることが好ましく、ユーザの選択によって動画を表示することもできる。
【００２９】
また、サムネイルが一列に配置された場合、両側の先端に位置するサムネイルの周辺には各方向に対するイメージ３２５ａ、３２５ｂを表示することができるが、先端に位置するサムネイルからその方向への隣接したサムネイルの存在有無によって、方向に対するイメージの活性の有無を決定することができる。例えば、図３に示すように、サムネイルが左右一列に配置されていて、右側の先端に位置するサムネイルから右側方向への隣接したサムネイルが存在する場合、右方向のイメージ３２５ｂは活性化し、右側方向への隣接したサムネイルが存在しない場合、右方向のイメージ３２５ｂは非活性化する。
【００３０】
マルチメディアコンテンツ領域３３０は、マルチメディアコンテンツ３３１が表示される領域であって、ビットマップ、ＪＰＥＧ、ＧＩＦ、および、ＴＩＦＦなどの静止画またはＭＰＥＧ、ＡＶＩ、ＷＭＶ、および、ＤＩＶＸなどの動画を表示することができる。
【００３１】
表示されるマルチメディアコンテンツ３３１は、サムネイル領域３２０のサムネイル３２１のうちユーザによって選択されたサムネイルに対応するものであって、ユーザが方向ボタンを用いてサムネイル間のフォーカスを切り替えれば、切り替えられたフォーカスのサムネイルに対応するマルチメディアコンテンツ３３１が表示される。
【００３２】
すなわち、ユーザは方向ボタンを用いて格納されたマルチメディアコンテンツを検索することができるが、前述した例のように、上下ボタンを用いて整列条件を決定し、左右のボタンを用いて表示するマルチメディアコンテンツ３３１を決定することによって、ユーザ自身が所望するマルチメディアコンテンツを制限された入力手段を用いて効果的に検索することができる。
【００３３】
表示するマルチメディアコンテンツ３３１の周辺には、整列条件の順序により隣接したマルチメディアコンテンツの一部３３２ａ、３３２ｂが表示され得る。これを用いて、ユーザは隣接したマルチメディアコンテンツ３３２ａ、３３２ｂの全体を推測することができるようになり、全体が表示されたマルチメディアコンテンツ３３１と、一部が表示された隣接したマルチメディアコンテンツ３３２ａ、３３２ｂとを介して検索方向へのマルチメディアコンテンツに対する特性を推測することもできる。
【００３４】
細部条件領域３４０は、整列条件領域３１０から選択された整列条件３１１の細部条件に対応するテキスト、色、および、イメージのうち少なくとも１つが表示される領域である。すなわち、細部条件領域３４０は、複数の細部条件３４１に区分されるが、整列条件が日付である場合は各細部条件に日付情報を含むことができ、整列条件が色である場合は各細部条件に所定色を含むことができる。
【００３５】
ユーザは、備えられたボタンなどを用いて細部条件３４１のフォーカスを切り替えることができる。細部条件３４１のフォーカスを切り替えるためのボタンは、数字ボタンおよび方向ボタンを含むが、例えば、ユーザは特定の数字ボタンを選択することによって該当数字に対応する細部条件がフォーカスされるようにすることができ、左右のボタンのうち左ボタンを選択することによって左側の細部条件がフォーカスされるようにすることができて、右ボタンを選択することによって右側の細部条件がフォーカスされるようにすることができる。ここで、選択された細部条件は他の細部条件より大きく、あるいは鮮明に表示することができ、選択された細部条件の枠を太く形成することもできる。
【００３６】
上記の通り、上下ボタンが整列条件の検索に用いられ、左右のボタンがサムネイルの検索に用いられるため、細部条件の検索に用いられる左右のボタンを別に備えたり、左右のボタンの用途をサムネイルの検索または細部条件の検索に切り替える別のボタンを備えることもできる。
【００３７】
すなわち、ユーザは２つの左右のボタンのうち一番目の左右のボタンを用いてサムネイルの検索を行い、二番目の左右のボタンを用いて細部条件の検索を行うことができるため、所定の機能切換ボタンを用いてサムネイル領域と細部条件との間を切り替えながら、１つの左右のボタンを用いてサムネイルまたは細部条件を検索することができる。
【００３８】
細部条件領域３４０の細部条件３４１が切り替えられることによって、サムネイル領域３２０で表示されるサムネイル３２１も細部条件３４１に対応して切り替えられ、これに応じてマルチメディアコンテンツ領域３３０で表示されるマルチメディアコンテンツ３３１も、サムネイル領域３２０において改めてフォーカスされたサムネイルに対応するものに切り替えられる。
【００３９】
すなわち、ユーザは細部条件領域３４０で細部条件３４１の検索を用いて整列条件による大きい単位の検索を行うことができ、サムネイル領域３２０でサムネイルの検索を用いて整列条件による小さい単位の検索を行うことができるが、これに応じてユーザ自身が所望するマルチメディアコンテンツを制限された入力手段を用いて速く、かつ、簡便に抽出することができる。
【００４０】
図４は、本発明の実施形態に係るマルチメディアコンテンツを表示する装置を示すブロック図であって、マルチメディアコンテンツを表示する装置（以下、コンテンツディスプレイ装置とする）４００は、格納部４４０、入力部４１０、整列条件決定部４２０、細部条件決定部４３０、コンテンツ抽出部４５０、サムネイル生成部４６０、および、ディスプレイ部４７０を含んで構成される。
【００４１】
格納部４４０は、マルチメディアコンテンツを格納する役割を行う。また、格納部４４０は、格納された各マルチメディアコンテンツの整列条件に対する情報を格納することもできる。
【００４２】
整列条件に対する情報は、特定整列条件で格納されたマルチメディアコンテンツの配置順序を決定するために用いられるものであって、例えば、整列条件が日付である場合の整列条件に対する情報は各マルチメディアコンテンツの生成時間となり、格納されたマルチメディアコンテンツは生成時間の順に配置することができる。
【００４３】
整列条件に対する情報はテーブルの形態で格納することができるが、これに対する詳しい説明は図５を用いて後述する。
【００４４】
格納部４４０は、ハードディスク、フラッシュメモリ、ＣＦカード（コンパクトフラッシュ（登録商標）カード）、ＳＤカード（セキュアデジタルカード）、ＳＭカード（スマートメディアカード）、ＭＭＣカード（マルチメディアカード）、または、メモリスティックなどの情報の入出力が可能なモジュールとしてコンテンツディスプレイ装置４００の内部に備えられることもでき、別途の装置に備えられることもできる。
【００４５】
入力部４１０は、ユーザ命令信号の入力を受け取る役割を行う。ここで、ユーザ命令信号は方向ボタン信号および数字ボタン信号のうち少なくとも１つを含むが、方向ボタン信号は整列条件の検索、サムネイルの検索、細部条件の検索、または、速い検索に用い、数字ボタン信号は細部条件の検索または速い検索に用いることができる。整列条件の検索、サムネイルの検索、および、細部条件の検索は図３を用いて前述したため省略する。
【００４６】
一方、速い検索は、マルチメディアコンテンツの生成時点を用いた検索方法であって、ユーザは数字ボタンを用いて、所定年、月、日などの時間情報を入力することができ、コンテンツディスプレイ装置４００は入力された時間情報に対応するマルチメディアコンテンツを抽出して表示する。例えば、２００５年１月６日という時間情報を入力すればコンテンツディスプレイ装置４００は入力された時間に生成したマルチメディアコンテンツを抽出して表示したり、入力された時間に最も近づいて生成したマルチメディアコンテンツを抽出して表示したりする。また、ユーザは方向ボタンを用いて速い検索を行うこともできるため、例えば、方向ボタンのうちの１つを、所定臨界時間を超過して選択すれば、コンテンツディスプレイ装置４００は該当方向に速くフォーカスが切り替えられて、フォーカスされたマルチメディアコンテンツを表示する。これに対する詳しい説明は図１１〜図１２を用いて後述する。
【００４７】
入力部４１０は方向ボタンおよび数字ボタンが備えられたものであって、リモコンのボタンまたは携帯用端末機のボタンなどが入力部４１０の役割を行う。
【００４８】
整列条件決定部４２０は、複数の整列条件のうち第１ユーザ命令信号に対応する整列条件を決定する役割を行う。ここで、第１ユーザ命令信号は方向ボタン信号を含むが、整列条件決定部４２０は方向ボタン信号のうち上下のボタン信号に応じて整列条件を決定することができる。
【００４９】
複数の整列条件は、マルチメディアコンテンツの生成された時点の順序、マルチメディアコンテンツに含まれた主要色の順序、マルチメディアコンテンツに含まれた内容の順序、マルチメディアコンテンツに対するユーザの選好度の順序、および、マルチメディアコンテンツが生成された生成期間の順序のうち少なくとも１つを含む。
【００５０】
マルチメディアコンテンツの生成された時点は、該当マルチメディアコンテンツが生成された年、月、日、時、分、秒を含む情報であることができる。
【００５１】
主要色は、該当マルチメディアコンテンツを代表する色であって、主要色はマルチメディアコンテンツに含まれた色のうち最も多く分布した色であることもでき、マルチメディアコンテンツに含まれた色の平均色であることもできる。例えば、マルチメディアコンテンツに赤い色を有するピクセルが最も多い場合の主要色は赤い色になることができ、マルチメディアコンテンツに赤い色と青い色が同様に含まれている場合の主要色は紫色になることができる。
【００５２】
このために、コンテンツディスプレイ装置４００の内部には、格納されたマルチメディアコンテンツに対する主要色を抽出するための主要色抽出部（図示せず）が備えられることもできる。
【００５３】
マルチメディアコンテンツに含まれた内容は、該当マルチメディアコンテンツが風景に対するコンテンツであるか、人物に対するコンテンツであるかを区別するための手段であって、人物に対するコンテンツは人物の数により細分化することができる。また、マルチメディアコンテンツに含まれた内容は、該当マルチメディアコンテンツの構図を含むが、例えば、広い大地および空が含まれたマルチメディアコンテンツと広い海および空が含まれたマルチメディアコンテンツとは、類似する構図を有すると見なされ、隣接するように配置されることができる。
【００５４】
構図を判断するために、コンテンツディスプレイ装置４００ではパターン認識部（図示せず）を備えることができるが、パターン認識部（図示せず）は各々のマルチメディアコンテンツを類似するパターン別で領域を設定する役割を行う。それで、領域の配置が類似するマルチメディアコンテンツは、類似する構図を有すると見なされ、整列条件によって互いに隣接するように配置される。
【００５５】
マルチメディアコンテンツに対するユーザの選好度は、ユーザが検索する回収によって決定することができ、それとは別にユーザによって決定することもできる。
【００５６】
マルチメディアコンテンツが生成された生成期間は、日、週、月、年など、ユーザが任意に決定することができる期間であって、ユーザはマルチメディアコンテンツの生成された時点を所定期間としてグループ化することができる。例えば、ユーザは、複数のマルチメディアコンテンツの生成された時点の順に格納されている場合、これを１０日単位でグループ化したり、１ケ月単位でグループ化することができる。
【００５７】
マルチメディアコンテンツの生成された時点の順序による整列条件（以下、第１整列条件とする）と、マルチメディアコンテンツが生成された生成期間の順序による整列条件（以下、第２整列条件とする）との差は、細部条件領域に表示する細部条件の検索単位にあり、第１整列条件の場合の細部条件の検索単位は、週、月、または、年に制限されるが、第２整列条件の場合の細部条件の検索単位は、１１日、１００日、または、１ケ月１５日など、ユーザが任意に決定することができる。
【００５８】
細部条件決定部４３０は、整列条件決定部４２０により決定された整列条件に含まれた細部条件のうち第２ユーザ命令信号に対応する細部条件を決定する役割を行う。ここで、第２ユーザ命令信号は、方向ボタン信号および数字ボタン信号のうち少なくとも１つを含むが、細部条件決定部４３０は、方向ボタン信号のうち左右のボタン信号により、または数字ボタン信号に応じて細部条件を決定することができる。
【００５９】
コンテンツ抽出部４５０は、細部条件決定部４３０により決定された細部条件によってマルチメディアコンテンツを抽出する役割を行う。例えば、決定した細部条件が、マルチメディアコンテンツの生成された時点の順序による整列条件に含まれた細部条件である場合のコンテンツ抽出部４５０は、格納部４４０に格納されたマルチメディアコンテンツのうち最も速く生成されたマルチメディアコンテンツを最も速く抽出し、最後に生成されたマルチメディアコンテンツを最後に抽出する。
【００６０】
コンテンツ抽出部４５０は、方向ボタン信号のうち左右のボタン信号または数字ボタン信号に応じてユーザによって選択されたマルチメディアコンテンツを抽出することができる。すなわち、マルチメディアコンテンツおよびサムネイルが表示された状態で、ユーザは左右のボタンを用いて細部条件を切り替えることができるが、細部条件が切り替えられることによってコンテンツ抽出部４５０は細部条件に対応するマルチメディアコンテンツを抽出する。また、ユーザは日付を入力することもできるが、コンテンツ抽出部４５０は該当日または該当日に隣接したマルチメディアコンテンツを抽出することができる。
【００６１】
また、コンテンツ抽出部４５０は、ユーザによって予め選択されたマルチメディアコンテンツを中心としてマルチメディアコンテンツを抽出することができる。例えば、特定のマルチメディアコンテンツをユーザが選択して表示する場合、整列条件および細部条件が変更されても表示されたマルチメディアコンテンツは表示し続けるようにし、これを中心としてその周辺のマルチメディアコンテンツを抽出する。
【００６２】
サムネイル生成部４６０は、コンテンツ抽出部４５０によって抽出されたマルチメディアコンテンツのサムネイルを生成する役割を行う。コンテンツ抽出部４５０は、細部条件決定部４３０で決定された細部条件によってマルチメディアコンテンツを抽出するが、抽出されたマルチメディアコンテンツに対するサムネイルは全て同時に表示されないこともある。したがって、サムネイル生成部４６０は、表示する所定数のサムネイルのみを生成することができる。例えば、格納されたマルチメディアコンテンツの数が１００個で、表示するサムネイルの数が９個である場合、コンテンツ抽出部４５０は整列条件によって１００個のマルチメディアコンテンツを抽出するが、サムネイル生成部４６０は細部条件によって抽出されたマルチメディアコンテンツのうち９個のマルチメディアコンテンツに対するサムネイルのみを生成する。ここで、細部条件によって抽出されたマルチメディアコンテンツとは、特定細部条件に対応する少なくとも１つ以上のマルチメディアコンテンツであって、これは整列条件および細部条件によってその数は変わり得る。
【００６３】
また、本発明の実施形態に係るマルチメディアコンテンツは、静止画および動画であることもできるが、コンテンツ抽出部４５０によって抽出されたマルチメディアコンテンツが動画である場合、サムネイル生成部４６０は該当動画の最初のフレームに対するサムネイルを生成することができる。
【００６４】
一方、動画に含まれたフレームのうちユーザによって選択されたフレームがサムネイル生成部４６０によってサムネイルとして生成されることもでき、このように生成されたサムネイルは格納部４４０に格納されるが、該当動画が抽出された場合に該当サムネイルが同時に抽出されて表示することができる。
【００６５】
ディスプレイ部４７０は、整列条件領域３１０に整列条件を、細部条件領域３４０に細部条件を、マルチメディアコンテンツ領域３３０にコンテンツ抽出部４５０によって抽出されたマルチメディアコンテンツのうち、ユーザによって選択されたマルチメディアコンテンツを表示する役割を行う。また、ディスプレイ部４７０は、コンテンツ抽出部４５０によって抽出されたマルチメディアコンテンツの一部または全体に対するサムネイル、すなわち、サムネイル生成部４６０によって生成されたサムネイルをサムネイル領域３２０に表示する。
【００６６】
ディスプレイ部４７０は、入力された映像信号を表示することができる陰極線管（ＣＲＴ）、液晶画面（ＬＣＤ）、発光ダイオード（ＬＥＤ）、有機発光ダイオード（ＯＬＥＤ）、または、プラズマディスプレイ（ＰＤＰ）などの映像表示手段が備えられたモジュールを含む。
【００６７】
図５は、本発明の実施形態に係る整列条件テーブルを示す図面であって、整列条件テーブル５００は、マルチメディアコンテンツフィールド５１０、生成時点フィールド５２０、主要色フィールド５３０、内容フィールド５４０、選好度フィールド５５０、および、生成期間フィールド５６０を含んで構成される。
【００６８】
マルチメディアコンテンツフィールド５１０は、マルチメディアコンテンツの名前またはマルチメディアコンテンツに付与された固有番号から構成される。
【００６９】
生成時点フィールド５２０は、マルチメディアコンテンツの生成された時点で構成される。ここで、生成された時点は、年、月、日だけでなく、時、分、秒まで反映することができる。
【００７０】
主要色フィールド５３０は、マルチメディアコンテンツが含む主要色から構成される。主要色は、前述した通り、マルチメディアコンテンツが含む色のうち最も多く分布したものであることができ、マルチメディアコンテンツに含まれた色の平均色であることもできる。主要色は所定の段階に分類することができるが、マルチメディアコンテンツに分布した色または平均色は、分類された段階のうち最も類似する段階と見なされる。
【００７１】
内容フィールド５４０は、風景、人物、または、構図などマルチメディアコンテンツの内容によって構成される。風景は、森、海辺、都市などで細分化することができ、人物は人物の数によって細分化することができ、構図はマルチメディアコンテンツに含まれた色またはパターンの配置によって細分化することができる。
【００７２】
選好度フィールド５５０は、マルチメディアコンテンツに対するユーザの選好度の順序で構成される。前述した通り、選好度はユーザが検索した回収によって決定するか、ユーザが直接決定することができる。
【００７３】
生成期間フィールド５６０は、マルチメディアコンテンツの生成された時点を含む期間で構成される。生成期間はユーザによって決定されることができる。例えば、入力部４１０を介して入力したユーザ命令信号に応じる整列条件が、マルチメディアコンテンツが生成された生成期間の順序である場合、コンテンツディスプレイ装置４００はユーザから生成期間の入力を受け、入力された生成期間によって生成期間フィールドを更新する。
【００７４】
細部条件決定部４３０から伝達された細部条件によってマルチメディアコンテンツを抽出するにあたって、コンテンツ抽出部４５０は整列条件テーブル５００を参照することができる。
【００７５】
図６は本発明の実施形態に係る生成時点の順にマルチメディアコンテンツが表示されることを示す概念図であって、整列条件領域の整列条件はマルチメディアコンテンツの生成された時点６１０の順序に選択されており、細部条件領域６３０は月単位の細部条件で細分化したことを示している。
【００７６】
細部条件には該当月または該当年度がテキスト６３０１，６３０２に表示され得るが、細部条件は該当月に生成されたマルチメディアコンテンツの数に比例してそのサイズが変わり得る。また、細部条件領域６３０には現在表示されたマルチメディアコンテンツの生成時点に対応する部分にポインタ６５０が位置し得るが、ポインタ６５０の位置を用いて、ユーザは生成時点の順序によって配置された全体マルチメディアコンテンツのうち表示されたマルチメディアコンテンツ６２０の位置が分かる。
【００７７】
ユーザは、左右のボタンを用いて月単位の細部条件を検索することができる。例えば、現在選択された細部条件が２００４年２月６３２である場合、ユーザは左側ボタンを用いて２００４年１月の細部条件６３１を選択することができ、右側ボタンを用いて２００４年４月の細部条件６３３を選択することができる。
【００７８】
ここで、細部条件が切り替えられた後、初めて表示されるマルチメディアコンテンツは切り替えられた細部条件に対応して抽出されたマルチメディアコンテンツのうち先頭に位置するマルチメディアコンテンツであり得る。
【００７９】
図７は、本発明の実施形態に係る主要色の順にマルチメディアコンテンツが表示されることを示す概念図であって、整列条件領域の整列条件はマルチメディアコンテンツの主要色７１０の順に選択されており、細部条件領域７３０は主要色の細部条件で細分化したことを示している。
【００８０】
細部条件には対応する主要色と数字７３０１とが表示されているが、細部条件は該当主要色を有するマルチメディアコンテンツの数に比例してサイズが変わり得る。また、細部条件領域７３０には現在表示されたマルチメディアコンテンツ７２０の主要色に対応する部分にポインタ７５０が位置し得るが、ポインタ７５０の位置を用いて、ユーザは主要色の順序によって配置された全体マルチメディアコンテンツのうち表示されたマルチメディアコンテンツ７２０の位置が分かる。
【００８１】
ユーザは、左右のボタンを用いて主要色の細部条件を検索することができる。例えば、現在選択された細部条件が第４の領域７３２である場合、ユーザは左側ボタンを用いて第３の領域７３１を選択することができ、右側ボタンを用いて第５の領域７３３を選択することができる。また、ユーザは、数字ボタンを用いて主要色の細部条件を検索することもできる。例えば、ユーザは、第６の領域７３４を選択するために第６の数字ボタンを用いることができ、第９の領域７３５を選択するために第９の数字ボタンを用いることができる。
【００８２】
ここで、細部条件が切り替えられた後、初めて表示されるマルチメディアコンテンツは、切り替えられた細部条件に対応して抽出されたマルチメディアコンテンツのうち最先に位置するマルチメディアコンテンツであり得る。
【００８３】
図８は、本発明の実施形態に係る内容の順にマルチメディアコンテンツが表示されることを示す概念図であって、整列条件領域の整列条件はマルチメディアコンテンツの内容８１０の順に選択されており、細部条件領域８３０は内容の細部条件で細分化されたものを示している。
【００８４】
細部条件には対応する内容のイメージ８３０２と数字８３０１とが表示されているが、細部条件は該当内容を有するマルチメディアコンテンツの数に比例してサイズが変わり得る。また、細部条件領域８３０には現在表示されたマルチメディアコンテンツ８２０の内容に対応する部分にポインタ８５０が位置し得るが、ポインタ８５０の位置を用いて、ユーザは内容の順序によって配置された全体マルチメディアコンテンツのうち表示されたマルチメディアコンテンツ８２０の位置が分かる。
【００８５】
ユーザは、左右のボタンを用いて内容の細部条件を検索することができる。例えば、現在選択された細部条件が第４の領域８３２である場合、ユーザは左側ボタンを用いて第３の領域８３１を選択することができ、右側ボタンを用いて第５の領域８３３を選択することができる。また、ユーザは数字ボタンを用いて内容の細部条件を検索することもできる。例えば、ユーザは第６の領域８３４を選択するために第６の数字ボタンを用いることができ、第９の領域８３５を選択するために第９の数字ボタンを用いることができる。
【００８６】
ここで、細部条件が切り替えられた後、初めて表示されるマルチメディアコンテンツは切り替えられた細部条件に対応して抽出されたマルチメディアコンテンツのうち最先に位置するマルチメディアコンテンツであり得る。
【００８７】
図９は、本発明の実施形態によって選好度の順にマルチメディアコンテンツが表示されることを示す概念図であって、整列条件領域の整列条件はマルチメディアコンテンツの選好度９１０の順に選択されており、細部条件領域９３０は選好度の細部条件で細分化されたことを示している。
【００８８】
細部条件には対応する選好度のテキスト９３０２と数字９３０１とが表示されているが、細部条件は該当選好度を有するマルチメディアコンテンツの数に比例してサイズが変わり得る。また、細部条件領域９３０においては現在表示されたマルチメディアコンテンツ９２０の選好度に対応する部分にポインタ９５０が位置し得るが、ポインタ９５０の位置を用いて、ユーザは選好度の順序によって配置された全体マルチメディアコンテンツのうち表示されたマルチメディアコンテンツ９２０の位置が分かる。
【００８９】
ユーザは、左右のボタンを用いて選好度の細部条件を検索することができる。例えば、現在選択された細部条件が第２の領域９３２である場合、ユーザは左側ボタンを用いて第１の領域９３１を選択することができ、右側ボタンを用いて第３の領域９３３を選択することができる。また、ユーザは、数字ボタンを用いて選好度の細部条件を検索することもできる。例えば、ユーザは、第３の領域９３３を選択するために第３の数字ボタンを用いることができ、第４の領域９３４を選択するために第４の数字ボタンを用いることができる。
【００９０】
ここで、細部条件が切り替えられた後、初めて表示されるマルチメディアコンテンツは切り替えられた細部条件に対応して抽出されたマルチメディアコンテンツのうち最先に位置するマルチメディアコンテンツであり得る。
【００９１】
図１０は、本発明の実施形態に係る生成期間の順にマルチメディアコンテンツが表示されることを示す概念図であって、整列条件領域の整列条件はマルチメディアコンテンツの生成期間１０１０の順に選択されており、細部条件領域１０３０は生成期間の細部条件で細分化されたものを示している。
【００９２】
細部条件には対応する生成期間のテキスト１０３０２と数字１０３０１とが表示されているが、細部条件は該当生成期間に含まれたマルチメディアコンテンツの数に比例してサイズが変わり得る。また、細部条件領域１０３０には現在表示されたマルチメディアコンテンツ１０２０の生成期間に対応する部分にポインタ１０５０が位置し得るが、ポインタ１０５０の位置を用いて、ユーザは生成期間の順序によって配置された全体マルチメディアコンテンツのうち表示されたマルチメディアコンテンツ１０２０の位置が分かる。
【００９３】
ユーザは、左右のボタンを用いて生成期間の細部条件を検索することができる。例えば、現在選択された細部条件が第４の領域１０３２である場合、ユーザは左側ボタンを用いて第３の領域１０３１を選択することができ、右側ボタンを用いて第５の領域１０３３を選択することができる。また、ユーザは数字ボタンを用いて生成期間の細部条件を検索することもできる。例えば、ユーザは第６の領域１０３４を選択するために第６の数字ボタンを用いることができ、第９の領域１０３５を選択するために第９の数字ボタンを用いることができる。
【００９４】
ここで、細部条件が切り替えられた後、初めて表示されるマルチメディアコンテンツは切り替えられた細部条件に対応して抽出されたマルチメディアコンテンツのうち最先に位置するマルチメディアコンテンツであり得る。
【００９５】
図１１は、本発明の一実施形態によってマルチメディアコンテンツが検索されることを示す概念図であって、日付に対応する数字または整列条件によって配置された順序に対応する数字を入力してマルチメディアコンテンツを検索することを示している。
【００９６】
例えば、２００４年１月１日に生成されたマルチメディアコンテンツを検索しようとする場合、ユーザは該当日に対応する数字１１１０である０４０１０１を入力することができるが、これによって、コンテンツディスプレイ装置４００は２００４年１月１日に生成されたマルチメディアコンテンツ１１２０を表示し、該当日および隣接した日に生成されたマルチメディアコンテンツのサムネイル１１３０を表示する。この時、２００４年１月１日に生成されたマルチメディアコンテンツが存在しない場合、コンテンツディスプレイ装置４００は隣接した日に生成されたマルチメディアコンテンツおよびサムネイルを表示することができる。
【００９７】
また、ユーザは整列条件によって配置された順序に対応する数字を用いてマルチメディアコンテンツを検索することもできる。例えば、格納されたマルチメディアコンテンツの数が１００個である場合、ユーザが５５という数字を入力すればコンテンツディスプレイ装置４００は現在選択された整列条件によって配置された順序のマルチメディアコンテンツのうち５５番目のマルチメディアコンテンツを表示する。
【００９８】
図１２は、本発明の他の実施形態によってマルチメディアコンテンツが検索されることを示す概念図であって、左右のボタンのうち１つが選択された遅延時間が所定臨界時間を超過する場合、該当方向への高速検索が行われることを示す図である。
【００９９】
図１２における整列条件は、マルチメディアコンテンツの生成された時点１２１０の順に選択されているが、これによって、格納部４４０に格納されたマルチメディアコンテンツは生成時点の順に抽出される。この時、ユーザによって、左右のボタンのうち１つが所定臨界時間を超過して選択されればディスプレイ部４７０は画面の所定領域でサムネイル１２３０を高速で１コマずつ移動させ、画面のまた他の領域にサムネイル１２３０の移動により選択されたマルチメディアコンテンツ１２２０を表示する。すなわち、サムネイルのフォーカスが切り替ることによって、フォーカスされたサムネイルに対応するマルチメディアコンテンツ１２２０が表示される。これによって、ユーザは表示されたマルチメディアコンテンツ１２２０またはサムネイル１２３０を用いて、ユーザ自身が所望するマルチメディアコンテンツを検索できる。
【０１００】
一方、高速検索が行われるため、細部条件領域のポインタ１２５０は現在表示されたマルチメディアコンテンツ１２２０に対応する位置に表示され、ユーザを現在検索中である位置を認識させることができる。
【０１０１】
図１３は本発明の実施形態に係るマルチメディアコンテンツを表示する過程を示す概念図である。
【０１０２】
マルチメディアコンテンツを表示するためにコンテンツディスプレイ装置４００の入力部４１０にまず第１ユーザ命令信号を入力する（Ｓ１３１０）。ユーザは、リモコンのボタンまたは携帯用端末機のボタンなどを用いて第１ユーザ命令信号を入力することができる。
【０１０３】
入力されたユーザ命令は、整列条件決定部４２０に伝えられ、これによって、整列条件決定部４２０は複数の整列条件のうち第１ユーザ命令信号に対応する整列条件を決定する（Ｓ１３２０）。ここで、第１ユーザ命令信号は、方向ボタン信号を含むが、整列条件決定部４２０は方向ボタン信号のうち上下のボタン信号に応じて整列条件を決定することができる。
【０１０４】
複数の整列条件は、マルチメディアコンテンツの生成された時点の順序、マルチメディアコンテンツに含まれた主要色の順序、マルチメディアコンテンツに含まれた内容の順序、マルチメディアコンテンツに対するユーザの選好度の順序、および、マルチメディアコンテンツが格納された生成期間の順序のうち少なくとも１つを含む。複数の整列条件に対する詳しい説明は前述したため、省略する。
【０１０５】
そして、入力部４１０に第２ユーザ命令信号を入力する（Ｓ１３３０）。ユーザは、リモコンのボタンまたは携帯用端末機のボタンなどを用いて第２ユーザ命令信号を入力することができる。
【０１０６】
入力されたユーザ命令は、細部条件決定部４３０に伝えられ、これによって、細部条件決定部４３０は整列条件決定部４２０により決定された整列条件に含まれた細部条件のうち第２ユーザ命令信号に対応する細部条件を決定する（Ｓ１３４０）。ここで、第２ユーザ命令信号は、方向ボタン信号および数字ボタン信号のうち少なくとも１つを含むが、細部条件決定部４３０は方向ボタン信号のうち左右のボタン信号により、または数字ボタン信号に応じて細部条件を決定することができる。
【０１０７】
決定された細部条件はコンテンツ抽出部４５０に伝えられ、コンテンツ抽出部４５０は決定された細部条件によって格納部４４０に格納されたマルチメディアコンテンツを抽出する（Ｓ１３５０）。ここで、コンテンツ抽出部４５０は方向ボタン信号のうち左右のボタン信号または数字ボタン信号に応じてユーザによって選択されたマルチメディアコンテンツを抽出することができる。すなわち、コンテンツ抽出部４５０は、左右のボタン信号に応じて切り替えられた細部条件に対応するマルチメディアコンテンツを抽出したり、数字ボタン信号に対応するマルチメディアコンテンツを抽出したりする。
【０１０８】
ここで、コンテンツ抽出部４５０は、ユーザによって予め選択されたマルチメディアコンテンツを中心としてマルチメディアコンテンツを抽出することができる。例えば、特定マルチメディアコンテンツをユーザが選択して表示している場合、整列条件および細部条件が変更されても表示されたマルチメディアコンテンツは表示し続けるようになり、これを中心としてその周辺のマルチメディアコンテンツを抽出する。
【０１０９】
抽出されたマルチメディアコンテンツは、サムネイル生成部４６０に伝えられ、サムネイル生成部４６０は伝達されたマルチメディアコンテンツに対するサムネイルを生成する（Ｓ１３６０）。ここで、サムネイル生成部４６０は、伝達された全てのマルチメディアコンテンツに対するサムネイルを生成するものではなく、サムネイル領域で表示することができるサムネイルの数だけサムネイルを生成する。また、抽出されたマルチメディアコンテンツが動画である場合、サムネイル生成部４６０は該当動画の最初のフレームに対するサムネイルを生成することができ、ユーザによって選択されたフレームに対するサムネイルを生成することもできる。
【０１１０】
生成されたサムネイルおよびマルチメディアコンテンツは、ディスプレイ部４７０に伝えられ、ディスプレイ部４７０は、整列条件領域に整列条件を、細部条件領域に細部条件を、サムネイル領域に伝達されたサムネイルを、そして、マルチメディアコンテンツ領域に伝達されたマルチメディアコンテンツのうち、ユーザによって選択されたマルチメディアコンテンツを表示する（Ｓ１３７０）。
【０１１１】
ユーザは、左右のボタンを用いてサムネイル領域のサムネイルを検索することができるが、ここでフォーカスされたサムネイルに対するマルチメディアコンテンツがユーザによって選択されたマルチメディアコンテンツとして表示される。
【０１１２】
一方、ユーザによって選択されたマルチメディアコンテンツを表示しながら、ディスプレイ部４７０はユーザによって選択されたマルチメディアコンテンツに隣接したマルチメディアコンテンツの一部を表示するが、これを用いて、ユーザは隣接したマルチメディアコンテンツの全体を推測できるようになり、全体が表示されたマルチメディアコンテンツと一部が表示された隣接したマルチメディアコンテンツを介して、検索方向へのマルチメディアコンテンツに対する特性を推測することもできる。
【０１１３】
以上、添付した図面を参照して本発明の実施形態を説明したが、本発明が属する技術分野で通常の知識を有する者は本発明の技術的思想や必須の特徴を変更せず、他の具体的な形態で実施することができるということを理解できる。したがって、以上で記述した実施形態はすべての面で例示的なものであり、限定的ではないものと理解しなければならない。
【図面の簡単な説明】
【０１１４】
【図１】デジタル情報家電の進化を示す図である。
【図２】従来のディスプレイ装置を用いて検索された情報を表示することを示す概念図である。
【図３】本発明の実施形態によってマルチメディアコンテンツが表示されることを示す概念図である。
【図４】本発明の実施形態に係るマルチメディアコンテンツを表示する装置を示すブロック図である。
【図５】本発明の実施形態に係る整列条件テーブルを示す図である。
【図６】本発明の実施形態に係る生成時点の順にマルチメディアコンテンツが表示されることを示す概念図である。
【図７】本発明の実施形態に係る主要色の順にマルチメディアコンテンツが表示されることを示す概念図である。
【図８】本発明の実施形態に係る内容の順にマルチメディアコンテンツが表示されることを示す概念図である。
【図９】本発明の実施形態によって選好度の順にマルチメディアコンテンツが表示されることを示す概念図である。
【図１０】本発明の実施形態に係る生成期間の順にマルチメディアコンテンツが表示されることを示す概念図である。
【図１１】本発明の一実施形態によってマルチメディアコンテンツが検索されることを示す概念図である。
【図１２】本発明の他の実施形態によってマルチメディアコンテンツが検索されることを示す概念図である。
【図１３】本発明の実施形態に係るマルチメディアコンテンツを表示する過程を示す概念図である。
【符号の説明】
【０１１５】
４１０      入力部
４２０      整列条件決定部
４３０      細部条件決定部
４４０      格納部
４５０      コンテンツ抽出部
４６０      サムネイル生成部
４７０      ディスプレイ部
【図１】
0004810443.tif 000002
【図２】
0004810443.tif 000003
【図３】
0004810443.tif 000004
【図４】
0004810443.tif 000005
【図５】
0004810443.tif 000006
【図６】
0004810443.tif 000007
【図７】
0004810443.tif 000008
【図８】
0004810443.tif 000009
【図９】
0004810443.tif 000010
【図１０】
0004810443.tif 000011
【図１１】
0004810443.tif 000012
【図１２】
0004810443.tif 000013
【図１３】
0004810443.tif 000014